【手続補正書】
【提出日】平成16年8月30日(2004.8.30)
【手続補正１】
【補正対象書類名】明細書
【補正対象項目名】発明の名称
【補正方法】変更
【補正の内容】
【発明の名称】プラネタリウム装置、プラネタリウム、プラネタリウム制御装置およびプラネタリウム制御プログラム
【手続補正２】
【補正対象書類名】明細書
【補正対象項目名】特許請求の範囲
【補正方法】変更
【補正の内容】
【特許請求の範囲】
【請求項１】
プラネタリウムの映像をドームスクリーンに投映する投映装置と、
この投映装置の駆動を制御する駆動制御手段と、
前記投映装置によりドームスクリーンに投映されている映像を表示するディスプレイと、
このディスプレイ上のカーソルを移動させるカーソル移動手段とを有し、
前記駆動制御手段が、前記カーソル移動手段の操作による前記ディスプレイ上のカーソルの動きに基づいて前記投映装置の駆動を制御することにより、星野の変化をドームスクリーン上に再現することを特徴とするプラネタリウム装置。
【請求項２】
請求項１に記載するプラネタリウム装置において、
ドームスクリーン上で再現される星野の変化は、地球上で観測可能なものであることを特徴とするプラネタリウム装置。
【請求項３】
請求項１に記載するプラネタリウム装置において、
ドームスクリーン上で再現される星野の変化は、宇宙空間における視点位置の移動に伴い生じるものであることを特徴とするプラネタリウム装置。
【請求項４】
請求項１から請求項３までに記載するいずれか１つのプラネタリウム装置において、
前記ディスプレイ上におけるカーソルの移動方向と前記投映装置の駆動方向との対応関係を任意に設定することが可能であることを特徴とするプラネタリウム装置。
【請求項５】
請求項１から請求項４までに記載するいずれか１つのプラネタリウム装置と、
映像が投映されるドームスクリーンとを備えることを特徴とするプラネタリウム。
【請求項６】
プラネタリウムの映像をドームスクリーンに投映する投映装置の駆動を制御する駆動制御手段に指令を与えるプラネタリウム制御装置であって、
前記投映装置によりドームスクリーンに投映されている映像を表示するディスプレイと、
このディスプレイ上のカーソルを移動させるカーソル移動手段とを有し、
前記ディスプレイ上のカーソルの動きに基づいて前記駆動制御手段に前記投映装置の駆動を制御するための指令を与えることを特徴とするプラネタリウム制御装置。
【請求項７】
プラネタリウムの映像をドームスクリーンに投映する投映装置の駆動を制御する駆動制御手段と、駆動制御手段に指令を与えるプラネタリウム制御装置とによりプラネタリウムを制御するプログラムにおいて、
プラネタリウム制御装置に、
投映装置によりドームスクリーンに投映されている映像およびカーソルをディスプレイ上に表示させる機能と、
プラネタリウム制御装置に接続されたカーソル移動手段の操作に対応してディスプレイ上のカーソルを移動させる機能と、
ディスプレイ上のカーソルの動きに基づいて駆動制御手段に投映装置の駆動を制御するための指令を与える機能と、
を実現させることを特徴とするプラネタリウム制御プログラム。
【手続補正３】
【補正対象書類名】明細書
【補正対象項目名】０００１
【補正方法】変更
【補正の内容】
【０００１】
【発明の属する技術分野】
本発明は、プラネタリウムを制御するプラネタリウム装置、プラネタリウム、プラネタリウム制御装置、およびプラネタリウム制御プログラムに関する。さらに詳細には、プラネタリウムの手動解説を容易に行うことができるプラネタリウム装置、プラネタリウム、プラネタリウム制御装置、およびプラネタリウム制御プログラムに関するものである。
【手続補正４】
【補正対象書類名】明細書
【補正対象項目名】０００８
【補正方法】変更
【補正の内容】
【０００８】
そこで、本発明は上記した問題点を解決するためになされたものであり、操作卓のボリューム操作に習熟しなくても、プラネタリウムの手動解説で多彩な演出を簡単に行うことができるプラネタリウム装置、プラネタリウム、プラネタリウム制御装置、およびプラネタリウム制御プログラムを提供することを課題とする。
【手続補正５】
【補正対象書類名】明細書
【補正対象項目名】０００９
【補正方法】変更
【補正の内容】
【０００９】
【課題を解決するための手段】
上記問題点を解決するためになされた請求項１の発明に係るプラネタリウム装置は、プラネタリウムの映像をドームスクリーンに投映する投映装置と、この投映装置の駆動を制御する駆動制御手段と、投映装置によりドームスクリーンに投映されている映像を表示するディスプレイと、このディスプレイ上のカーソルを移動させるカーソル移動手段とを有し、駆動制御手段が、カーソル移動手段の操作によるディスプレイ上のカーソルの動きに基づいて投映装置の駆動を制御することにより、星野の変化をドームスクリーン上に再現することを特徴とするものである。
【手続補正６】
【補正対象書類名】明細書
【補正対象項目名】００１２
【補正方法】変更
【補正の内容】
【００１２】
具体的には、請求項２の発明に係るプラネタリウム装置においては、ドームスクリーン上で再現される星野の変化は地球上で観測可能なものである。また、請求項３の発明に係るプラネタリウム装置においては、宇宙空間における視点位置の移動に伴い生じるものである。
【手続補正７】
【補正対象書類名】明細書
【補正対象項目名】００１６
【補正方法】変更
【補正の内容】
【００１６】
また、請求項４の発明に係るプラネタリウム装置においては、ディスプレイ上におけるカーソルの移動方向と投映装置の駆動方向との対応関係を任意に設定することが可能である。こうすることにより、例えば、カーソルを右方向に動かした場合に、投映機が左方向に駆動されるか、右方向に駆動されるかを選択することができる。従って、オペレータが自分の感覚に適合して最も操作し易いように、カーソルの移動方向と投映装置の駆動方向との対応関係を設定することができる。これにより、手動解説におけるオペレータへの負担がより一層軽減される。
【手続補正８】
【補正対象書類名】明細書
【補正対象項目名】００１７
【補正方法】変更
【補正の内容】
【００１７】
また請求項５の発明は、請求項１から請求項４までに記載するいずれか１つのプラネタリウム装置と、映像が投映されるドームスクリーンとを備えるプラネタリウムである。そして請求項６の発明は、プラネタリウムの映像をドームスクリーンに投映する投映装置の駆動を制御する駆動制御手段に指令を与えるプラネタリウム制御装置であって、投映装置によりドームスクリーンに投映されている映像を表示するディスプレイと、このディスプレイ上のカーソルを移動させるカーソル移動手段とを有し、ディスプレイ上のカーソルの動きに基づいて駆動制御手段に投映装置の駆動を制御するための指令を与えるものである。
【手続補正９】
【補正対象書類名】明細書
【補正対象項目名】００１８
【補正方法】変更
【補正の内容】
【００１８】
さらに請求項７の発明は、プラネタリウムの映像をドームスクリーンに投映する投映装置の駆動を制御する駆動制御手段と、この駆動制御手段に指令を与えるプラネタリウム制御装置とによりプラネタリウムを制御するプログラムであって、プラネタリウム制御装置に、投映装置によりドームスクリーンに投映されている映像およびカーソルをディスプレイ上に表示させる機能と、プラネタリウム制御装置に接続されたカーソル移動手段の操作に対応してディスプレイ上のカーソルを移動させる機能と、ディスプレイ上のカーソルの動きに基づいて駆動制御手段に投映装置の駆動を制御するための指令を与える機能と、を実現させるものである。
【手続補正１０】
【補正対象書類名】明細書
【補正対象項目名】００４６
【補正方法】変更
【補正の内容】
【００４６】
また、ディスプレイ１６に星図２１の代わりに図７に示すような天球儀３０を表示することもできる。あるいは、ディスプレイ１６に星図２１あるいは天球儀３０のいずれを表示するかを、オペレータに選択させるようにしてもよい。なお、ディスプレイ１６に天球儀３０を表示させた場合も、上記したようにカーソル２０をマウス１７により操作することにより、プラネタリウムの手動解説を行うことができる。
【手続補正１１】
【補正対象書類名】明細書
【補正対象項目名】００５５
【補正方法】変更
【補正の内容】
【００５５】
【発明の効果】
以上説明した通り各請求項に記載された発明によれば、操作卓のボリューム操作に習熟しなくても、プラネタリウムの手動解説で多彩な演出を簡単に行うことができるプラネタリウム装置、プラネタリウム、プラネタリウム制御装置、およびプラネタリウム制御プログラムが提供されている。